(57)【要約】【課題】一時的に取り外したマスクを収容することで埃の付着や型崩れを防止できると共に、付着した細菌類の増殖を防止することができるマスクケースを提供すること。【解決手段】マスクＭを中央で半分に折り畳んだ状態で収容するマスクケース１０において、中央で開閉可能な板状の外装カバー２０を備えている。外装カバー２０の谷折部に差し込まれ一体化されると共に、外装カバーにマスクＭと共に挟持される板状の内側支持板２３と、外装カバー２０の内側面及び内側支持板２３の両面に形成された抗菌層３１，３２，３３，３４とを備えている。【選択図】    図４
0003227799.tif 000002
【実用新案登録請求の範囲】
【請求項１】
中央で開閉可能である板状の外装カバーと、
前記外装カバーの谷折部に差し込まれ一体化されると共に、前記外装カバーに挟持される板状の内側支持板と、
前記外装カバーの内側面及び前記内側支持板の両面に形成された抗菌層とを備えているマスクケース。
【請求項２】
前記内側支持板の幅は前記外装カバーの幅よりも短い請求項１に記載のマスクケース。
【請求項３】
前記抗菌層は抗菌性と弾性とを有する請求項１に記載のマスクケース。
【請求項４】
前記抗菌層は、抗菌剤が塗布又は練りこまれた天然繊維、化学繊維、樹脂繊維又は金属繊維の層と弾性層との２層構造を有する請求項１に記載のマスクケース。
【請求項５】
前記抗菌層は、抗菌剤が塗布又は練りこまれた弾性材の１層構造を有する請求項１に記載のマスクケース。
【請求項６】
前記外装カバーの内側面の抗菌層と前記内側支持板の両面の抗菌層とは連続する請求項１に記載のマスクケース。
【考案の詳細な説明】
【技術分野】
【０００１】
本考案は、マスクを菌繁殖等の機能を有するマスクケースに関する。
【背景技術】
【０００２】
花粉やウィルス、粉塵等の様々な粒子の吸引を防ぐために、あるいは、咳やくしゃみなどにより発生する飛沫等の拡散を防止するために、また、口内環境を湿潤に保つためにマスクが使用されている。マスクは、使用目的に応じて布製・不織布製・紙製等の様々な材質から形成されている。また、形状も平型・ブリーツ型・立体型等が存在する。なお、いずれの材質で、いずれの形状であっても、一般的なマスクは、鼻の形状に合わせて、マスクの中央で左右に折曲できるような構造となっている。
【０００３】
このような一般的なマスクは、食事や洗顔等の際は外し、鞄やポケット等に一時保管する必要がある。このような時、マスクを一時的かつ衛生的に保管するマスクケースが種々検討されている（例えば、特許文献１，２参照。）。これらのマスクケースでは、埃が付着することを防止できると共に、マスクの型崩れを防止することができる。
【０００４】
上記のように一時的にマスクを収容するマスクケースにあっては、次のような問題があった。すなわち、マスクの使用により外側あるいは内側には細菌類（ウィルスや菌等）が付着することがあり、そのままマスクケース内に収容すると、ケース内で細菌類が繁殖し、そのまま装着すると衛生的に好ましくない場合があった。
【先行技術文献】
【特許文献】
【０００５】
【特許文献１】実用新案登録第３２２２１０３号公報
【特許文献２】実用新案登録第３１７０８２７号公報
【考案の概要】
【考案が解決しようとする課題】
【０００６】
目的は、一時的に取り外したマスクを収容することで埃の付着や型崩れを防止することができると共に、付着した細菌類の増殖を防止することができるマスクケースを提供することにある。
【課題を解決するための手段】
【０００７】
本考案の実施形態に係るマスクケースは、マスクを中央で半分に折り畳んだ状態で収容する。マスクケースは中央で開閉可能な板状の外装カバーを備えている。板状の内側支持板が外装カバーの谷折部に差し込まれ一体化されると共に、外装カバーにマスクと共に挟持される。外装カバーの内側面及び内側支持板の両面には、抗菌層が形成されている。
【図面の簡単な説明】
【０００８】
【図１】本考案の一実施形態に係るマスクケースを示す斜視図。
【図２】一般的なマスクを折り畳んだ状態を示す斜視図。
【図３】図１のマスクケースを折り畳む場合の態様を示す斜視図。
【図４】図１のマスクケースの使用例を示す断面図。
【図５】図１のマスクケースの携帯時の態様を示す斜視図。
【図６】図１のマスクケースの別の使用例を示す断面図。
【考案を実施するための形態】
【０００９】
以下、図に基づいて、本考案の実施形態について説明する。  
図１に示すように、マスクケース１０は、図２に示すようなマスクＭを折り畳んだ状態で収容する機能を有している。マスクＭは中央で折り畳むことが可能である。ここで、右側部をＭａ、左側部をＭｂとし、略中央をＭｃとする。なお、図２中Ｓは耳に引っ掛ける紐を示している。
【００１０】
マスクケース１０は、樹脂等の比較的硬質な素材で形成され、図３、図４、図５に示すように、中央で谷折り可能、換言すると見開き可能に形成された長方形で板状の外装カバー２０を備えている。外装カバー２０は、第１外装板２１と第２外装板２２とが開閉自在に結合されている。外装カバー２０の谷折箇所には、内側支持板２３が差し込まれ締結部２４によって一体化されている。
【００１１】
二つ折りされたマスクＭを内側支持板２３に被せて、その両側から第１外装板２１と第２外装板２２とを閉じることにより、マスクＭへの埃の付着や型崩れが防止され得る。
【００１２】
内側支持板２３の幅Ｗ２３は、第１外装板２１の幅Ｗ２１及び第２外装板２２の幅Ｗ２２よりも短い。それにより外装カバー２０を閉じたときに、内側支持板２３の外縁は、マスクＭの表面とともに、外装カバー２０から出っ張ることなく、外装カバー２０の内側に引込み、収容された状態になり、マスクＭの表面に付着した細菌が保持者の手のひらなどの他の箇所に付着する事態やマスクＭの表面がドアノブなどの他のものに触れて細菌が新たに付着する事態を抑えることができる。
【００１３】
外装カバー２０の第１外装板２１の内側面には抗菌層３１が形成されている。第２外装板２２の内側面にも抗菌層３２が形成されている。内側支持板２３の一方の表面には抗菌層３３が形成される。内側支持板２３の反対側の表面にも抗菌層３４が形成される。なお、実際には抗菌層３１−３４は抗菌板としてそれぞれの面に張り合わされている。
【００１４】
好ましくは、外装カバー２０の第１外装板２１の内側面の抗菌層３１と、それと対峙する内側支持板２３の一方の面の抗菌層３３とは連続するように１枚板で構成される。同様に、外装カバー２０の第２外装板２２の内側面の抗菌層３２と、それと対峙する内側支持板２３の他方の面の抗菌層３４とは連続するように１枚板で構成される。外装カバー２０の第１外装板２１と内側支持板２３との奥の隙間が解消され、その箇所に細菌類が残留して増殖する事態を抑えることができる。同様に外装カバー２０の第２外装板２２と内側支持板２３との奥の隙間が解消され、その箇所に細菌類が残留して増殖する事態を抑えることができる。
【００１５】
抗菌層３１〜３４は、抗菌性とともに弾性を備えている。抗菌層３１〜３４は、抗菌剤が塗布又は練りこまれた弾性部材（ポリウレタン、ゴム、綿等）で構成される。もちろん抗菌層３１〜３４は、抗菌剤が塗布、又は、練りこまれた天然繊維、化学繊維、樹脂繊維又は金属繊維の層と、弾性部材（ポリウレタン、ゴム、綿等）の層と積層された２層構造であってもよい。
【００１６】
このように構成されたマスクケース１０を使用してマスクＭを保管するに際しては、マスクＭを図２に示すように略中央Ｍｃで半分に折り畳む。マスクケース１０を、図１に示すように少し開いた状態で持ち、図４に示すように、内側支持板２３の外縁にマスクＭの内側面を略中央Ｍｃで押しつけ、そして、図３に示すように外装カバー２０を閉じる。これにより、マスクＭの右側部Ｍａ及び左側部Ｍｂが、内側支持板２３と共に外装カバー２０に挟持される。
【００１７】
さらに図５に示すように外装カバー２０をしっかりと閉める。マスクＭの右側部Ｍａの内側の面と外側の面とが、抗菌層３１，３３にそれぞれ密着する。同様に、左側部Ｍｂの内側の面と外側の面とが、抗菌層３２，３４にそれぞれ密着する。それによりマスクＭの右側部Ｍａ及び左側部Ｍｂの内側の面と外側の面に細菌類が付着していたとしても、抗菌層３１〜３４の抗菌作用によって細菌類の増殖を効果的に抑えることができる。外装カバー２０を強く閉じることにより、マスクＭの右側部Ｍａ及び左側部Ｍｂが内側支持板２３の抗菌層３３，３４から離れてしまうことによる抗菌作用の低下を抑えることができる。
【００１８】
図示しないが、外装カバー２０を閉じた状態を維持するためのホックや磁石等の手段による留め具が装備されていていることが好ましい。
【００１９】
図６に示すように、マスクケース１０は、マスクＭを２つ収容することもできる。すなわち、１つ目のマスクＭを抗菌層３１と抗菌層３３の間に挿入し、その略中央Ｍｃを締結部２４に向ける。２つ目のマスクＭを抗菌層３２と抗菌層３４の間に挿入し、その略中央Ｍｃを締結部２４に向ける。これにより。２つのマスクＭを収容することができる。この場合、マスクＭの一方の面しか抗菌層に密着しないため、使用者が抗菌を作用させたい面が外側になるように折り畳む必要がある。
【００２０】
なお、上述したマスクケース１０では、抗菌層３１〜３４として繊維材を用いたが、抗菌機能が発揮きるのであれば、樹脂シート、金属シート、又は、これらの組合せによる素材と弾性部材の組合せで形成してもよい。また、抗菌層３１〜３４は、弾性部材に抗菌加工を施したものであってもよい。また、マスクＭは一時的に取り外したということを前提としているが、未使用のマスクＭを収容するようにしてもよい。
【００２１】
このように本実施形態に係るマスクケースによれば、一時的に取り外したマスクを収容することで埃の付着や型崩れを防止できると共に、付着した細菌類の増殖を防止することが可能となる。
【００２２】
なお、上記実施形態に限定されるものではなく、実施段階ではその要旨を逸脱しない区域で種々に変形することが可能である。また、各実施形態は適宜組み合わせて実施してもよく、その場合組み合わせた効果が得られる。更に、上記実施形態には種々の考案が含まれており、開示される複数の構成要件から選択された組み合わせにより種々の考案が抽出され得る。例えば、実施形態に示される全構成要件からいくつかの構成要件が削除されても、課題が解決でき、効果が得られる場合には、この構成要件が削除された構成が考案として抽出され得る。
【符号の説明】
【００２３】
１０…マスクケース、２０…外装カバー、２１…第１外装板、２２…第２外装板、２３…内側支持板、２４…締結部、３１〜３４…抗菌層、Ｍ…マスク。
【図１】
0003227799.tif 000003
【図２】
0003227799.tif 000004
【図３】
0003227799.tif 000005
【図４】
0003227799.tif 000006
【図５】
0003227799.tif 000007
【図６】
0003227799.tif 000008